(57)【特許請求の範囲】
【請求項１】
走行機体に連結機構により機枠を連結し、該機枠に旧畦上に土を盛り上げる盛土機構を設け、該盛土機構の進行方向後方位置に盛土を締圧整畦可能な整畦機構を設けてなり、上記盛土機構と整畦機構との間に畦の盛土を圧締可能な回転圧締体を設け、該回転圧締体は盛土機構の進行方向である畦造成方向に向く回転軸線を中心に下向き回転して上記畦の盛土を下方に向けて押し込み可能な外周面を備えてなることを特徴とする整畦機。
【請求項２】
上記回転圧締体の外周面の進行方向前部にテーパー面を形成してなることを特徴とする請求項１記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、走行機体に連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該走行機体の動力取出軸を駆動源として整畦体を往復畦叩動作させるクランク式又は油圧式の畦叩機構を設け、走行機体を旧畦に沿って走行させ、回転ロータで圃場中の泥土を旧畦上に盛り上げ、この盛土を整畦体の畦叩き動作により叩き付けるようにして構成したものである。
【０００４】
【発明が解決しようとする課題】
しかしながら上記従来構造の場合、地方により相異する畦の土質や天候等の作業条件によっては、必ずしも満足した整畦作業を行い得ないことがあるという不都合を有している。
【０００５】
【課題を解決するための手段】
本発明はこのような不都合を解決することを目的とし、本発明のうち、請求項１記載の発明は、走行機体に連結機構により機枠を連結し、該機枠に旧畦上に土を盛り上げる盛土機構を設け、該盛土機構の進行方向後方位置に盛土を締圧整畦可能な整畦機構を設けてなり、上記盛土機構と整畦機構との間に畦の盛土を圧締可能な回転圧締体を設け、該回転圧締体は盛土機構の進行方向である畦造成方向に向く回転軸線を中心に下向き回転して上記畦の盛土を下方に向けて押し込み可能な外周面を備えてなることを特徴とする整畦機にある。
【０００６】
又、請求項２記載の発明は、上記回転圧締体の外周面の進行方向前部にテーパー面を形成してなることを特徴とするものである。
【０００７】
【発明の実施の形態】
図１乃至図１０は本発明の実施の形態例を示し、図１乃至図９は第一形態例、図１０は第二形態例である。
【０００８】
図１乃至図９の第一形態例において、１は走行機体であって、この場合トラクタが用いられ、走行機体１の後部に三点リンク式の連結機構２により機枠３を上下動可能に連結している。
【０００９】
４は整畦機構であって、この場合畦Ｗの一方側面Ｗ2を整畦可能な円錐状の外周面５ａを有して回転軸線Ｐ1を中心とする回転ロール状の下部回転整畦体５と、畦の上面Ｗ1を整畦可能な円筒状の外周面６ａを有して回転軸線Ｐ2を中心とする回転ロール状の上部回転整畦体６とからなり、この下部回転整畦体５を円錐状内周面５ｂを有する傘状に形成すると共に上部回転整畦体６を下部回転整畦体５側がラッパ状に開口する円筒状内周面６ｂを有する円筒状に形成し、この傘形状及び円筒開口形状により、下部回転整畦体５と上部回転整畦体６とを相互に重合可能に形成し、下部回転整畦体５の回転軸線Ｐ1を畦Ｗの一方側面Ｗ1の側方から畦Ｗ側へ斜め上方に向かう所定角度θの上向き方向に配置し、上部回転整畦体６及び下部回転整畦体５を回転させる回転機構７を設け、さらに上部回転整畦体６を上下調節可能な高低調節機構８を配設して構成している。
【００１０】
この場合上記機枠３にチェーンケースを兼ねる取付部材９を突設し、取付部材９にブラケット１０を突設し、ブラケット１０に軸受筒１１を調節機構１２により上下調節自在に取付け、この軸受筒１１に駆動軸１３を所定角度θをもって斜め上向き状に回転自在に軸受し、駆動軸１３と截頭円錐形状にして傘状の下部回転整畦体５のロータ軸５ｃとを直結し、上記機枠３の後部側面に枠体１４を垂設し、枠体１４内にチェーン機構１５を設け、機枠３に走行機体１に設けられた動力取出軸１６により回転する主軸１７を軸受し、チェーン機構１５と主軸１７とを歯車機構１８により伝導連結すると共にチェーン機構１８と駆動軸１３とを伸縮自在な自在継手１９により連結し、一方、上記取付部材９の後面上部にブラケット２０を突設し、ブラケット２０に高低調節機構８を介して軸受筒２２を横設し、この高低調節機構８は取付板８ａに二本のガイド軸８ｂによりスライドブロック８ｃを上下スライド自在に設け、取付板８ａに螺杆８ｄを架設すると共に螺杆８ｄをスライドブロック８ｃに螺着し、螺杆８ｄにハンドル８ｅを取付け、スライドブロック８ｃに軸受筒２２を取付け、ハンドル８ｅの回転により軸受筒２２を高低調節自在に設けてなり、軸受筒２２に中間軸２３を回転自在に横設し、機枠３の後部に主軸１７に伝導連結された歯車機構２４を設け、歯車機構２４と上記中間軸２３とを伸縮自在な自在継手２５により連結し、上記軸受筒２２に支持枠体２６を突設し、支持枠体２６の下部に駆動軸２７を横設し、駆動軸２７と中間軸２３との間にチェーン機構２８を介装し、駆動軸２７と上部回転整畦体６のロータ軸６ｃとを直結し、しかして、主軸１７の回転により下部回転整畦体５及び上部回転整畦体６を図中矢印方向に回転させ、下部回転整畦体５の回転接触により畦Ｗの一方側面Ｗ2を締圧整畦すると共に上部回転整畦体６により畦Ｗの上面Ｗ1を締圧整畦するように構成している。
【００１１】
２９は盛土機構であって、この場合回転ロータからなる盛土体３０から構成され、この盛土体３０はロータ胴３０ａの外周に複数個の掻上刃３０ｂを突設すると共にロータ板３０ａに取付軸３０ｃを突設してなり、上記機枠３に取付カバー部材３１を突設し、取付カバー部材３１に盛土体３０をその回転軸線を畦造成方向と平行にして回転自在に取付け、盛土体３０の回転により畦際の圃場面の土を削出軌跡Ｎをもって削土して、旧畦に向けて跳ね上げて盛り上げるように構成している。
【００１２】
３２は形成機構であって、この場合機枠３に取付部材３３を突設し、取付部材３３にそれぞれ高低調節機構３４・３５を介して軸受筒３６・３７を上下二段に横設し、この高低調節機構３４・３５は前記高低調節機構８と同様な構造に形成され、軸受筒３６に中間軸３８を横設すると共に軸受筒３７に中間軸３９を横設し、一方機枠３に枠体４０を垂設し、枠体４０の上下端部に伝達軸４１・４２を横設し、枠体４０内にして伝達軸４１・４２間にチェーン機構４３を設け、伝達軸４１と主軸１７とを歯車機構４４により伝導連結し、伝達軸４１と中間軸３８とを伸縮自在な自在継手４５により連結すると共に伝達軸４２と中間軸３９とを伸縮自在な自在継手４６により連結し、これにより中間軸３８・３９を主軸１７により回転させ、中間軸３８に畦の上面Ｗ1を削出する薙刀状の複数個の上面削出刃４７ａ及び畦の一方側面Ｗ2の上部を削出して旧畦Ｗの一方側面Ｗ2の上部に盛土係留部Ｋを形成可能な薙刀状の複数個の上部形成刃４７ｂを放射状に突出してなる上部形成体４７のロータ軸４７ｃを直結し、又、中間軸３９に畦Ｗの一方側面Ｗ2の下部を削出して旧畦Ｗの一方側面Ｗ2の下部に盛土係留部Ｋを形成可能な薙刀状の複数個の下部形成刃４８ａを放射状に突出してなる下部形成体４８のロータ軸４８ｂを直結し、しかして、上部形成体４７を回転させて複数個の上面削出刃４７ａにより畦の上面Ｗ1を削出すると共に上部形成刃４７ｂにより畦の一方側面Ｗ2の上部を削出して旧畦Ｗの一方側面Ｗ2の上部に複数個の凹条部分Ｑからなる階段状の盛土係留部Ｋを形成し、かつ下部形成体４８を回転させて下部形成刃４８ａにより旧畦Ｗの一方側面Ｗ2の下部に複数個の凹条部分Ｑからなる階段状の盛土係留部Ｋを形成するように構成している。
【００１３】
４９は回転圧締体であって、この場合中空ドラム状に形成され、盛土機構２９の進行方向である畦造成方向に向く回転軸線Ｏを中心に下向き回転して上記畦の盛土を下方に向けて押し込み可能な外周面４９ａを有し、この外周面４９ａの前部はテーパー面４９ｂに形成され、上記盛土機構２９と整畦機構４との間、この場合、上記盛土機構２９及び形成機構３２の進行方向後方位置にして整畦機構４の前方位置に配置され、この場合前記取付部材９の先端部に駆動軸５０を横設し、駆動軸５０と主軸１７との間にチェーン機構５１を掛回し、駆動軸５０に回転圧締体４９の中心に配置したロータ軸４９ｃを直結し、かつロータ軸４９ｃと前記盛土体３０のロータ軸３０ｃとの間に変向用ギヤ列５２を配置し、これにより盛土体３０を土を畦上に向けて上向き回転させると共に回転圧締体４９を盛土体３０と相互に異なる下向き方向に回転させるように構成している。
【００１４】
５３はカバー部材であって、この場合上記機枠３に取り付けられ、上記盛土機構２９及び形成機構３２並びに圧締回転体４９の上方及び畦Ｗの上方を覆う形状に形成され、カバー部材５３の畦側に昇降軸５４ａ及びガイドロール５４ｂにより畦の上面Ｗ1に接触して畦の起伏に倣って上下動自在な側部カバー部材５４を取り付けている。
【００１５】
５５は反力受体であって、この場合下側部分が圃場Ｍ内に穿入可能な板状に形成され、取付部材９の後面にガイド軸５６を水平方向に横設し、ガイド軸５６に反力受体５５を水平方向に摺動自在に取付け、上記整畦機構４による整畦動作によって生ずる整畦反力を受け得ると共に過大な締圧力が下部回転整畦体５に掛かると、反力受体５５が穿入静止したままで、弾圧用バネ５７に抗して機枠３側が逃動するように構成されている。
【００１６】
５８は安定部材であって、この場合車輪状に形成され、上記機枠３の後部に上下調節自在に設けられ、圃場Ｍ上に接地して機枠３の安定走行を図るように構成されている。
【００１７】
この実施の第一形態例は上記構成であるから、走行機体１を畦Ｗに沿って走行し、動力取出軸１６を回転すると一方では盛土機構２９の盛土体３０としての回転ロータが畦際の圃場泥土を旧畦上に連続的に跳ね上げて盛り上げ、カバー部材５３及び側部カバー部材５４は盛土体３０の上方及び畦側方への泥土飛散を防止し、跳ね上げられた泥土は外方飛散を防がれて自重落下し、他方では整畦機構４が駆動され、下部回転整畦体５及び上部回転整畦体６は回転機構７により回転し、畦Ｗの一方側面Ｗ2及び畦の上面Ｗ1を締圧整畦することができ、各回転整畦体５・６の回転すべり接触により畦Ｗの一方側面Ｗ2及び畦Ｗの上面Ｗ1を円滑に締圧整畦することができ、しかも盛土機構２９と整畦機構４との間に畦の盛土を圧締可能な回転圧締体４９を設け、回転圧締体４９は盛土機構２９の進行方向である畦造成方向に向く回転軸線Ｏを中心に下向き回転して上記畦Ｗの盛土を下方に向けて押し込み可能な外周面４９ａを備えてなるから、回転圧締体４９の矢印方向の下向き回転によりその外周面４９ａと旧畦との間の盛土は外周面４９ａにより下方に向けて押し込められ、その盛土は外周面４９ａと旧畦とにより楔作用を伴って押し込まれて締圧され、そして、この締圧された盛土を整畦機構４により締圧整畦することができ、それだけ堅牢な畦を得ることができる。
【００１８】
又、この場合形成機構３２の上部形成体４７の回転により複数個の上面削出刃４７ａは畦の上面Ｗ1の削出範囲Ｓを削出すると共にその上部形成刃４７ｂにより畦の一方側面Ｗ2の上部を削出して旧畦Ｗの一方側面Ｗ2の上部に複数個の凹条部分Ｑからなる階段状の盛土係留部Ｋが形成され、かつ盛土形成体４６の回転により下部形成刃４６ａは旧畦Ｗの一方側面Ｗ2の下部に複数個の凹条部分Ｑからなる階段状の盛土係留部Ｋが形成され、しかして盛土係留部Ｋにより土係留作用を得ることができ、よって盛土機構２９により旧畦上に盛り上げられた土を凹状部分Ｑからなる盛土係留部Ｋにより係留して畦の側面に沿った盛土の滑落現象を抑制することができ、畦の一方側面Ｗ2の盛土不足や畦一方側面Ｗ2の上下位置での盛土量のばらつきを抑制することができ、良好な整畦作業を行うことができ、かつ旧畦の少なくとも一方側面Ｗ2を整畦する前において、予め削土でき、この削土された畦面上に盛土することになり、旧畦土と盛土との結着性を高めることができ、それだけ強固な畦を得ることができる。
【００１９】
又、この場合回転圧締体４９の外周面４９ａの前部はテーパー面４９ｂに形成されているので、盛土との衝突に対しても回転圧締体４９は円滑に進行することになると共に盛土を回転圧締体４７の外周面４９ａへと導入案内し、回転圧締体４９の進行に伴って外周面４９ａにより徐々に締圧され、それだけ円滑な締圧整畦を行うことができる。
【００２０】
又、この際、下部回転整畦体５の回転軸線Ｐ1を畦Ｗの一方側面Ｗ1の側方から畦Ｗ側へ斜め上方に向かう所定角度θの上向き方向に配置しているので、下部回転整畦体５の進行方向前側の外周面５ａによりなされる畦Ｗの一方側面Ｗ2への土の押し付け送り長さを長くすることができ、それだけ土の締圧を良好なものとすることができると共に下部回転整畦体５の垂直方向の高さを低くすることができ、それだけ装置全体の機高を低くすることができて小型化を図ることができ、下部回転整畦体５及び上部回転整畦体６の回転をそれぞれ異なる回転数に設定することができ、それだけ畦Ｗの一方側面Ｗ2及び畦の上面Ｗ1を良好に締圧整畦することができる。
【００２１】
又、この場合、上部回転整畦体６を上下調節させる高低調節機構８を設けているので、地方により異なる畦の高さや形態に対応することができ、しかも形成機構３２の上部形成体４７、下部形成体４８のそれぞれを上下調節させる高低調節機構３４・３５をそれぞれ設けているので、地方により異なる畦の高さや形態に対応することができ、それだけ融通性を高めることができて良好な凹状部分Ｑからなる盛土係留部Ｋを形成することができる。
【００２２】
又、この場合、整畦機構４により生ずる機枠３に対しての整畦反力を受ける反力受体５５を設けているので、締圧整畦に伴う整畦反力を確実に受けることができ、整畦機構４による締圧整畦を良好に行うことができ、それだけ堅牢な畦を得ることができる。
【００２３】
図１０の第二形態例は別例構造を示し、この場合、回転圧締体４９のロータ軸４９ｃを圧締回転体４９の中心Ｏから偏心量ｅ分偏心させて配置し、この中心Ｏから偏心量ｅ分偏心した位置に駆動軸５０の中心を取り付けて構成している。
【００２４】
しかしてこの第二形態例にあっても、第一形態例と同様な作用効果を得ることができると共に回転圧締体４９の偏心回転によりその外周面４９ａによって旧畦との間の盛土を偏心回転を伴って下方に向けて押し込んで締圧し、そして、この締圧された盛土を整畦機構４により締圧整畦することができる。
【００２５】
尚、本発明は上記実施の形態例に限られるものではなく、例えば回転機構７として油圧モータを採用することもでき、又、下部回転整畦体５の回転軸線を水平方向に設定することもあり、又、上部回転整畦体６と下部回転整畦体５が一体に形成される場合もあり、この場合高低調節機構８により上部回転整畦体６と下部回転整畦体５とが一体に上下調節されることになり、この一体構造の場合においても、下部回転整畦体５の回転軸線を水平方向又は上記θの角度で傾けることもあり、又、整畦機構４として、畦の上面及び一方側面に合わせた断面ヘ形状板からなる整畦体を往復畦叩動作させるクランク式又は油圧式の畦叩機構により構成したり、この整畦体に振動を付与する振動機構により構成することもあり、又、回転圧締体４９の形状や形成機構３２の構造や形態、凹条部分Ｑ、盛土係留部Ｋの形態等は畦の大きさや畦の土状態に応じて適宜選択される。
【００２６】
【発明の効果】
本発明は上述の如く、請求項１記載の発明にあっては、走行機体を畦に沿って走行すると一方では盛土機構が畦際の圃場泥土を旧畦上に盛り上げ、他方では整畦機構が駆動され、畦の一方側面及び畦の上面を締圧整畦することができ、しかも盛土機構と整畦機構との間に回転圧締体を設け、回転圧締体は盛土機構の進行方向である畦造成方向に向く回転軸線を中心に下向き回転して上記畦の盛土を下方に向けて押し込み可能な外周面を備えてなるので、回転圧締体の下向き回転によりその外周面と旧畦との間の盛土は外周面により下方に向けて押し込められ、その盛土は外周面と旧畦とにより楔作用を伴って押し込まれて締圧され、そして、この締圧された盛土を整畦機構により締圧整畦することができ、それだけ堅牢な畦を得ることができる。
【００２７】
又、請求項２記載の発明にあっては、上記回転圧締体の外周面の進行方向前部にテーパー面を形成してなるから、盛土との衝突に対しても回転圧締体は円滑に進行することになると共に盛土を回転圧締体の外周面へと導入案内し、回転圧締体の進行に伴って外周面により徐々に締圧され、それだけ円滑な締圧整畦を行うことができる。
【００２８】
以上の如く、所期の目的を充分達成することができる。
【図面の簡単な説明】
【図１】  本発明の実施の第一形態例の全体側面図である。
【図２】  本発明の実施の第一形態例の全体平面図である。
【図３】  本発明の実施の第一形態例の部分側面図である。
【図４】  本発明の実施の第一形態例の部分拡大側断面図である。
【図５】  本発明の実施の第一形態例の全体後面図である。
【図６】  本発明の実施の第一形態例の部分拡大後断面図である。
【図７】  本発明の実施の第一形態例の前面図である。
【図８】  本発明の実施の第一形態例の部分拡大後面図である。
【図９】  本発明の実施の第一形態例の部分説明後面図である。
【図１０】  本発明の実施の第二形態例の部分説明後面図である。
【符号の説明】
Ｗ  畦
Ｋ  盛土係留部
Ｗ1  上面
Ｗ2  一方側面
Ｏ  回転軸線
１  走行機体
２  連結機構
３  機枠
４  整畦機構
２９  盛土機構
４９  回転圧締体
４９ａ  外周面
４９ｂ  テーパー面
【図１】
0004096274.tif 000002
【図２】
0004096274.tif 000003
【図３】
0004096274.tif 000004
【図４】
0004096274.tif 000005
【図５】
0004096274.tif 000006
【図６】
0004096274.tif 000007
【図７】
0004096274.tif 000008
【図８】
0004096274.tif 000009
【図９】
0004096274.tif 000010
【図１０】
0004096274.tif 000011